(57)【特許請求の範囲】
【請求項１】
床面と接するベース部と、
手摺部を備え前記ベース部に立設された支柱部と、
を備える立ち上がり補助具において、
前記ベース部の裏面におもりを備えたこと
を特徴とする立ち上がり補助具。
【請求項２】
請求項１に記載の立ち上がり補助具において、
前記ベース部の裏面に掛止部が設けられ、この掛止部に前記おもりが着脱自在に掛止されたことを特徴とする立ち上がり補助具。
【請求項３】
請求項１に記載の立ち上がり補助具において、
前記支柱部は、前記ベース部に立設されたホルダ部に立設され、
前記ベース部は、前記ホルダ部の立設位置に連結孔を備え、
前記おもりは、前記連結孔に対応する位置に連結孔を備え、
前記ホルダ部は下端内周面に雌ネジ溝を備え、
前記ベース部及び前記おもり双方の前記連結孔に挿通され前記雌ネジ溝に螺合される雄ネジ部と、
前記雌ネジ溝と前記雄ネジ部とが螺合されたとき前記ベース部及び前記おもりを前記ホルダ部の下端面とで挟持する突出部と、を有する
固定金具と、
を備えたことを特徴とする立ち上がり補助具。
【請求項４】
請求項１、２又は３に記載の立ち上がり補助具において、
前記おもりは、板状であることを特徴とする立ち上がり補助具。
【請求項５】
請求項１から４のいずれか一つに記載の立ち上がり補助具において、
前記ベース部には、その周縁部に床面の方向に向かう傾斜面が設けられ、これによって前記ベース部の裏面と前記床面との間に形成されたスペース内に、前記おもりが収容されたことを特徴とする立ち上がり補助具。
【発明の詳細な説明】
【技術分野】
【０００１】
この発明は、主に介護・福祉の分野で使用される高齢者や要介護支援者らの立ち上がり補助具に関するものである。
【背景技術】
【０００２】
高齢者や要介護支援者らが、日常生活において自力で立ち上がる際の補助具として、またリハビリテーションの道具として、立ち上がる際のバランスを補助しあるいは足腰の負担を軽減する立ち上がり補助具が広く用いられている。
【０００３】
従来の立ち上がり補助具としては、図１８に示すように、中空のホルダ部２１０が立設されたベース部２００と、手摺部４００を備えベース部２００のホルダ部２１０に挿着された支柱部３００と、を備えた立ち上がり補助具１００がある（特許文献１参照）。この立ち上がり補助具１００が使用時に倒れないよう安定させる方法として、従来は、ベース部２００のホルダ部２１０に、図１９に示すような円柱状のおもり５００を外嵌する方法が採られていた。（非特許文献１参照）
【先行技術文献】
【特許文献】
【０００４】
【特許文献１】実用新案登録第３０３４５３６号
【非特許文献】
【０００５】
【非特許文献１】矢崎化工株式会社、“おもしくん  CKA-J”、[online]、2001年、矢崎化工株式会社、[平成23年5月24日検索]、インターネット<URL:http://www.kaigo-web.info/kensaku/rental/cka-j.html>
【発明の概要】
【発明が解決しようとする課題】
【０００６】
しかしながら、上記従来の技術では、おもり５００がベース部２００の上に位置することになるため、使用者が誤って足先をおもり５００に引っ掛けてしまうことがあり、おもり５００が使用者の立ち上がり動作の邪魔になる場合があった。
【０００７】
また、ホルダ部２１０に支柱部３００の下端部を固定しているネジ３１０がおもり５００によって覆われてしまうことから、ネジ３１０を脱着する度に重たいおもり５００を上方に持ち上げる必要があるため、組立・分解時の作業性が悪かった。
【０００８】
上記問題点に鑑み、本発明の解決しようとする課題は、立ち上がり動作の邪魔にならず、また組立・分解時の作業性に優れた、おもりを備えた立ち上がり補助具を提供することである。
【課題を解決するための手段】
【０００９】
上記課題を解決するため、本発明に係る立ち上がり補助具は、床面と接するベース部と、手摺部を備え前記ベース部に立設された支柱部と、を備える立ち上がり補助具において、前記ベース部の裏面におもりを備えたことを特徴とする。
【００１０】
この特定事項により、おもりがベース部の上にないため、使用者が誤って足先をおもりに引っ掛けてしまう虞がない。したがって、おもりが立ち上がり動作の邪魔になることはない。また、ベース部に対する支柱部の脱着作業時におもりが邪魔になることもない。
ベース部の裏面に掛止部が設けられ、この掛止部におもりが着脱自在に掛止されてもよい。この場合、ベース部に対するおもりの脱着作業が容易となる。
【００１１】
前記立ち上がり補助具は、前記支柱部が、前記ベース部に立設されたホルダ部に立設され、前記ベース部は、前記ホルダ部の立設位置に連結孔を備え、前記おもりは、前記連結孔に対応する位置に連結孔を備え、前記ホルダ部は、下端内周面に雌ネジ溝を備え、前記ベース部及び前記おもり双方の前記連結孔に挿通され前記雌ネジ溝に螺合される雄ネジ部と、前記雌ネジ溝と前記雄ネジ部とが螺合されたとき前記ベース部及び前記おもりを前記ホルダ部の下端面とで挟持する突出部と、を有する固定金具と、を備えたものであってもよい。この場合、ホルダ部のベース部への組み付け作業と、おもりのベース部への組み付け作業とを同時に行うことができるため、組立作業性に優れるとともに、立ち上がり補助具におもりを掛止めするための追加部品を必要とせず、立ち上がり補助具を安価に製造できる。さらに、ベース部裏面におもりが確実に固定される。
【００１２】
前記おもりは、板状であってもよい。この場合、おもりを含めたベース部全体の厚みが厚くなってしまうことを回避することができるとともに、おもりが持ち易くなるためおもりの脱着作業が簡単になるのに加えて、おもりを安価に製作することができる。さらに、おもりの重量をベース部全体に均一に作用させることができ、その結果、立ち上がり補助具が倒れにくくなり使用時の事故を防止できる。
【００１３】
さらに、上記の立ち上がり補助具において、前記ベース部には、その周縁部に床面の方向に向かう傾斜面が設けられ、これによって前記ベース部の裏面と前記床面との間に形成されたスペース内に、前記おもりが収容されたものであってもよい。
【００１４】
この場合、立ち上がり補助具を床面に設置した状態でおもりはベース部に覆い隠されるため、おもりによって立ち上がり補助具全体の意匠が損なわれる虞がない。
【発明の効果】
【００１５】
本発明に係る立ち上がり補助具は、立ち上がり補助具を安定させるために取り付けるおもりが、立ち上がり動作や、立ち上がり補助具の組立・分解作業の邪魔にならない。
【図面の簡単な説明】
【００１６】
【図１】本発明に係る立ち上がり補助具の実施形態１を示す斜視図である。
【図２】図１に示す立ち上がり補助具のおもりを示す底面図及び側面図である。
【図３】図１に示す立ち上がり補助具における掛止部の配設形態の一例を示す要部底面図及び側面図である。
【図４】図２に示すおもりの装着手順を示すベース部の要部底面図である。
【図５】図２に示すおもりの装着完了状態を示すベース部の要部底面図である。
【図６】図１におけるＡ−Ａ線に沿う断面図である。但し、断面を示すハッチングは省略している。
【図７】図６におけるＢ部分の拡大図である。
【図８】図１に示す立ち上がり補助具のベース部の平面図である。
【図９】実施形態１についてのおもりの変形例を示す底面図及び側面図である。
【図１０】本発明に係る立ち上がり補助具の実施形態１についての変形例を示す斜視図である。
【図１１】本発明に係る立ち上がり補助具の実施形態２に係るおもりの裏面を示す斜視図である。
【図１２】本発明に係る立ち上がり補助具の実施形態２におけるベース部の平面図である。
【図１３】図１１に示すおもりを装着した立ち上がり補助具の図１２におけるD−D線に沿う断面図である。但し、断面を示すハッチングは省略している。
【図１４】図１３におけるＣ部分の拡大図である。
【図１５】図１１に示すおもりを装着した本発明に係る立ち上がり補助具で使用される化粧蓋の一例を示す断面図である。
【図１６】図１１に示すおもりを連結孔に座ぐり穴を設けないおもりに変更した場合の、当該おもりを装着した本発明に係る立ち上がり補助具で使用される化粧蓋の一例を示す（ａ）は平面図、（ｂ）は断面図、（ｃ）は底面図である。
【図１７】本発明に係る立ち上がり補助具の実施形態３を示す正面図である。
【図１８】従来の立ち上がり補助具の斜視図である。
【図１９】従来の立ち上がり補助具に使用されるおもりの斜視図である。
【発明を実施するための形態】
【００１７】
＜実施形態１＞
以下、本発明の実施形態１について、図１乃至図１０を参照して説明する。
【００１８】
本発明に係る立ち上がり補助具１は、図１に示すように、床面と接するベース部２と、手摺部４を備えベース部２に立設された支柱部３とを備えたものであって、ベース部２の裏面におもり５を備えたことを特徴とするものである。
【００１９】
ベース部２は、立ち上がり補助具１を床面に定着させる機能を有する。本実施形態のベース部２の周端部には床面の方向に向かう傾斜面２４が設けられており、これによってベース部２の中央部を床面から浮かせることで、おもり５、後述する掛止部６及び固定金具１２をベース部２の裏面に取り付けるスペースが確保されている。このようになるベース部２は、立ち上がり補助具１の転倒による事故を回避するために、重心が低く床面との接触面積が大きくされている。このベース部２を構成するベース板２１としては、金属製の板や強度の高い合成樹脂製の板を用いることが考えられる。上記した傾斜面２４の周端縁部には、例えばゴム製や合成樹脂製の緩衝材２２が装着されており、これによって、床面の傷の発生防止と使用者の安全確保とが図られている。
【００２０】
支柱部３は、手摺部４を支持するものである。支柱部３は、図１に示すように、一本のパイプを中央で湾曲させたものでもよいし、湾曲させたパイプを複数本立設し、それらを横桟で連結したものでもよい。手摺部４の本数は１本でも、図示例のように複数本でもよい。
【００２１】
ベース部２に対する支柱部３の立設構造としては、図６及び図７に示すように、例えば金属製パイプからなるホルダ部１１と固定金具１２とを用いたものが考えられる。ベース部２のベース板２１には、図８に示すように、複数の連結孔２３が形成されており、これら連結孔２３に、それぞれベース板２１の下方から雄ネジ部３１を有する固定金具１２が挿通される一方、ベース板２１の上方から上記雄ネジ部３１と螺合する雌ネジ溝３２を下端部内周面に有するホルダ部１１の下端部開口部が、ベース板２１の上面から突出している固定金具１２に被せられるとともに、ホルダ部１１の雌ネジ溝２１と固定金具１２の雄ネジ部３１とが螺合される。これによって、ベース板２１がホルダ部１１と固定金具１２の突出部１２ａとで挟持された状態になる。こうして支柱部３を支持するホルダ部１１がベース板２１に固定される。なお、固定金具１２の下面中心には六角レンチが挿入される六角孔３３が形成されており、ホルダ部１１との螺合作業がし易いように図られている。以上のようにしてベース板２１に固定されたホルダ部１１内に支柱部３の下端部を上方から挿入するとともに固定ビス１１ａをホルダ部１１の外側から支柱部３の下端部に向けて螺入し該下端部をホルダ部１１に固定することで、支柱部３がベース部２に立設される。なお、ホルダ部１１の固定手段は上記のようなものに限らず、ベース板２１にホルダ部１１の下端部を溶接により取り付けてもよく、また、ホルダ部１１を排して支柱部３の下端部をベース部２のベース板２１に直接溶接してもよい。
【００２２】
ここで、上記の例のように、固定金具１２を用いた場合は、固定金具１２の上面に、例えばゴム板３４などの弾性材を接着し、ホルダ部１１内に支柱部３が挿入される際、固定金具１２と支柱部３との間に生じる衝撃を和らげるようにするとよい。
【００２３】
手摺部４は、使用者が立ち上がる際につかむ手摺としての機能を有する。手摺部４は、つかみ易い形状のものであればよく、横桟に限らず縦梁でもよい。さらに、手摺部４は、人が握り易い太さのものとされる。手摺部４に適当な部材の例として、直径３cm程の円筒金属製パイプが挙げられる。手摺部４を支柱部３に連結支持させるには、溶接や樹脂性ジョイント４１を用いるとよい。
【００２４】
おもり５は、立ち上がり補助具１のベース部２におもりとして作用し、立ち上がり補助具１を倒れにくくする機能を有する。本実施形態におけるおもり５は、図２に示すように、板金から切り出された上板５１と下板５２とから構成されている。上板５１はベース部２のベース板２１とほぼ相似形状の長方形を呈しており、下板５２は上板５１よりも短辺が短い長方形を呈している。下板５２は上板５１と相互の短辺中央同士が重なった状態で溶接され一体化されている。上板５１の各長辺にはそれぞれ矩形の切欠５３が２つずつ所定間隔を隔てて形成されている。これら切欠５３は、いずれも下板５２と重ならない領域に設けられている。また、各切欠５３の近傍には、それぞれ上板５１の長辺に沿う方向に隣接してネジ孔５６が設けられている。
【００２５】
ベース部２のベース板２１の裏面には、上記したおもり５を掛止する掛止部６が設けられている。掛止部６は、図３に示すように、ベース板２１の裏面に取り付けられる取着部６１と、おもり５と掛止される掛止爪部６２とから構成されており、掛止爪部６２には、おもり５装着時におもり５のネジ孔５６と重合するネジ孔６３が設けられている。掛止部６は、おもり５の上記した切欠５３と対応するよう、且つ、各掛止爪部６２の先端がベース板２１の内方を向くようにしてベース板２１の裏面に配設されている。各掛止爪部６２とベース板２１との間隙寸法は、おもり５の上板５１の厚みと略等しく設定されており、これによっておもり５がその上板５１の縁部において掛止爪部６２とベース板２１の裏面とでしっかりと挟持される。このようになる掛止部６としては、例えば、板金から切り出した金属片をクランク状に屈曲することにより形成されたものが用いられ、ベース板２１には例えばスポット溶接により溶着される。なお、掛止部６の形状や材質等は上記したものに限定されない。例えば、掛止部６を、弾性を有するバネ板材で形成すれば、おもり５を掛止部６の弾性復元力でベース板２１の裏面に圧着状態で固定することができる。
【００２６】
次に、おもり５を掛止部６によりベース部２の裏面に掛止する手順について説明する。
【００２７】
まず、ベース部２をその裏面が上方を向くようにして床面上にベース部２を置き、図４に示すように、おもり５をその上板５１の方がベース部２側に位置するようにして切欠５３と掛止部６の掛止爪部６２とを一致させ、おもり５の切欠５３内に掛止爪部６２を通過させ、おもり５の上板５１の上面をベース部２の裏面に密着させる。
次に、その状態を保ったまま、図５に示すように、おもり５を、そのネジ孔５６が掛止爪部６２のネジ孔６３と重合する方向にスライドさせる。そして、両ネジ孔５６，６３同士が重合したら、掛止爪部６２のネジ孔６３からおもり５のネジ孔５６に向けて止めネジ５５を螺入し、これによっておもり５のベース部２への掛止が完了する。図６は、その状態を示す部分断面図である。
【００２８】
上記した実施形態では、おもり５は２枚の板材（上板５１及び下板５２）から構成されたものであったが、おもり５は、そのようなものに限られず、例えば、図９に示すような一枚の板から構成されたものであってもよい。すなわち、これらの図に示されたおもり５ａは、ベース部２のベース板２１と略相似形状の長方形を呈する厚めの金属板の各長辺にそれぞれ２箇所に亘って、掛止部６と掛合する段差部５７が形成されるとともに、これら段差部５７にそれぞれ矩形の切欠５８とネジ孔５９とが形成されたものである。なお、切欠５８とネジ孔５９の配設要領は上記の実施形態におけるおもり５のものと同様である。
【００２９】
上記した実施形態では、おもり５をベース部２の裏面に備える手段として、掛止部６による掛止手段を用いたが、このような手段に限られず、例えば、おもり５をベース部２に溶接するものでもよい。
【００３０】
上記した実施形態では、ベース板２１に設けられた連結孔の個数は２個であったが、例えば、図１０に示すように、４個であってもよい。図１０に示す立ち上がり補助具は、図１２に示すベース部２に設けられた４個の連結孔２３に裏面から固定金具１２を挿通し、固定金具１２の雄ネジ部３１とホルダ部１１の雌ネジ溝３２とを螺合させることで、ベース部２に４個のホルダ部１１を立設させた例である。この例では、各ホルダ部１１に、主支柱部３ａと副支柱部３ｂとからなる支柱部３の脚が挿入されている。ベース部２の中央部に位置する２個のホルダ部１１には、一本のパイプを中央で湾曲させた主支柱部３ａが立設されるとともに、この主支柱部３ａのパイプ間には横桟である手摺部４が、例えば、樹脂性ジョイント４１を用いて連結されている。ベース部２の端部に位置する２個のホルダ部１１には、主支柱部３ａの直線部の高さより低く、相互に同じ長さの２本のパイプ３５からなる副支柱部３ｂがそれぞれ立設されている。この副支柱部３ｂの各上端と、主支柱部３ａとは横桟３６で連結されている。横桟３６は、支柱部３全体の強度を確保する機能だけでなく、手摺としての機能も有する。該連結には、例えば、樹脂性ジョイント４２を用いるとよい。
【００３１】
＜実施形態２＞
次に、本発明の実施形態２について、図１１乃至図１５を参照して説明する。本実施形態に係る立ち上がり補助具は、床面と接するベース部２と、手摺部４を備えるベース部２に立設された支柱部３と、を備え、ベース部２の裏面におもり５を備えた立ち上がり補助具１において、支柱部３は、ベース部２に立設されたホルダ部１１に立設され、ベース部２は、ホルダ部１１の立設位置に連結孔２３を備え、おもり５は、連結孔２３に対応する位置に連結孔５４を備え、ホルダ部１１は下端内周面に雌ネジ溝３２を備え、ベース部２及びおもり５双方の連結孔２３、５４に挿通され雌ネジ溝３２に螺合される雄ネジ部７１と、雌ネジ溝３２と雄ネジ部７１とが螺合されたときベース部２及びおもり５をホルダ部１１の下端面とで挟持する突出部７２と、を有する固定金具７０と、を備えたことを特徴としている。
【００３２】
ベース部２、支柱部３及び手摺部４については、実施形態１と同一である。ただし、ベース部２に設けられる連結孔２３は、後述するおもり５ｂの少なくとも４つの隅を固定するため、図１２に示すように、４つ以上設けられることが望ましい。
【００３３】
本実施形態のおもり５としては、例えば、図１１に示すように、金属製の矩形板の角を落とし該矩形板の４隅近くに連結孔５４として座ぐり穴５４ａを設けたおもり５ｂが用いられる。座ぐり穴５４ａのピッチは、ベース部２においてホルダ部１１の立設位置に設けた連結孔２３のピッチと同一にされる。さらに、座ぐり孔５４ａの直径（貫通部の内径）は、連結孔２３の直径と同一とされる。
【００３４】
ホルダ部１１としては、例えば、図１３に示すように、円筒状の金属パイプが用いられる。ホルダ部１１の下端内周面には、雌ネジ溝３２が設けられる。該雌ネジ溝３２は、後述する固定金具７０の備える雄ネジ部７１と螺合するものとされる。ホルダ部１１がベース部２に立設されたときホルダ部１１の下端面がベース部２の表面に当接するよう、ホルダ部１１の外径は、ベース部２に設けられる連結孔２３の直径より大きくされる。
【００３５】
固定金具７０は、上部に雄ネジ溝が設けられた円柱部である雄ネジ部７１を、下部に円柱部から張り出した鍔である突出部７２を備える。図１４に示すように、雄ネジ部７１を雌ネジ溝３２と螺合させ、突出部７２とホルダ部１１の下端面とでベース板２１及びおもり５ｂを挟持させることで、ベース部２にホルダ部１１及びおもり５ｂを固定させる。なお、立ち上がり補助具を使用した際ベース板２１が撓み、取り付けた固定金具７０が床面と接触し床面を傷付けてしまうのを防止するため、固定金具７０の底面には緩衝材７４が接着される。固定金具７０の上面には、例えばゴム板３４などの弾性材を接着し、ホルダ部１１内に支柱部３が挿入される際、固定金具７０と支柱部３との間に生じる衝撃を和らげるようにするとよい。なお、固定金具７０の下面中心には六角レンチが挿入される六角孔７３が形成されており、ホルダ部１１との螺合作業がし易いように図られている。
【００３６】
ホルダ部１１の立設に使用しない連結孔２３には、図１５に示すように、化粧蓋８０が被せられる。化粧蓋８０は、全体が中実のものであって、ベース部２及びおもり５ｂの各連結孔２３，５４内に挿入される円柱部８１と、この円柱部８１の上部に位置する突出部８２とからなる。円柱部８１の直径は、連結孔２３及び連結孔５４の直径より僅かに小さい直径とされ、円柱部８１の高さは、ベース板２１の板厚とおもり５ｂの板厚との和から座ぐり穴５４ａの座ぐりの深さ寸法を引いた長さとされる。突出部８２は、円柱部８１の上端から円盤状に張り出した鍔である。突出部８２の上面は平滑面とされるとともに、その外周縁部はテーパ面とされている。さらに、化粧蓋８０の底面中央には、後述する固定板９０と連結させるためにネジ孔８３が設けられている。
【００３７】
化粧蓋８０を装着するには、固定板９０及び皿ネジ７００が使用される。固定板９０は、厚さがおもり５ｂの座ぐり穴５４ａの座ぐりの深さ程度とされ、直径は、座ぐり穴５４ａの座ぐり部分の直径より僅かに小さくされている。固定板９０の中央には、例えば、皿ネジ７００の頭部の円錐台側面が密着するよう、上に向かうにしたがって縮径された孔９１が形成されている。さらに、立ち上がり補助具を使用した際ベース板２１が撓み、取り付けた固定板９０が床面と接触し床面を傷付けてしまうのを防止するため、固定板９０の下面には、孔９１を設けた部分を除き、緩衝材９２が貼着されている。このようになる固定板９０の孔９１に皿ネジ７００を挿通し、化粧蓋８０に設けられたネジ孔８３に該皿ネジ７００を螺合させることで、ベース板２１とおもり５ｂとを化粧蓋８０と固定板９０とで挟持させ、おもり５ｂをベース部２に固定させる。
【００３８】
上の例では、おもり５ｂに連結孔５４として座ぐり穴５４ａを設けたが、連結孔５４は必ずしも座ぐり穴である必要はなく、例えば、図１６（ｂ）に示すように、おもり５ｂの連結孔５４を座ぐり部分の無い孔に変更したおもり５ｃであってもよい。この例では、化粧蓋８０に替えて、図１６（ｂ）に示すような、化粧蓋８０ａが用いられる。化粧蓋８０ａは、全体が中実のものであって、ベース部２及びおもり５ｃの各連結孔２３，５４内に挿入される円柱部８１ａと、この円柱部８１ａの上部に位置する突出部８２ａとからなる。円柱部８１ａの直径は、連結孔２３及び連結孔５４の直径より僅かに小さい直径とされ、円柱部８１ａの高さは、ベース板２１の板厚とほぼ同じ長さとされる。突出部８２ａは、円柱部８１ａの上端から円盤状に張り出した鍔である。突出部８２ａの上面は平滑面とされるとともに、その外周縁部は曲面とされている。さらに、化粧蓋８０ａの上面中央には、後述する固定板９０ａと連結させるために、例えば、皿ネジ７００ａの頭部の円錐台側面が密着するよう、下に向かうにしたがって縮径された孔８４が設けられている。
【００３９】
化粧蓋８０ａを装着するには、固定板９０ａ及び皿ネジ７００ａが使用される。固定板９０ａは、上板である円板９４と下板である円板９５とからなる。円板９４は、その厚さがおもり５ｃの板厚よりわずかに小さく、その直径が連結孔５４の直径よりわずかに小さくされている。円板９５は、その直径が連結孔５４の直径より大きくされる。固定板９０ａの中央には、例えば、皿ネジ７００ａに螺合するネジ孔９６が形成されている。さらに、立ち上がり補助具を使用した際ベース板２１が撓み、取り付けた固定板９０ａが床面と接触し床面を傷付けてしまうのを防止するため、固定板９０ａの下面には、ネジ孔９６を設けた部分を除き、緩衝材９２ａが貼着されている。化粧蓋８０ａに設けられた孔８４に皿ネジ７００ａを挿通し、このようになる固定板９０ａのネジ孔９６に該皿ネジ７００ａを螺合させることで、ベース板２１とおもり５ｃとを化粧蓋８０ａと固定板９０ａとで挟持させ、おもり５ｃをベース部２に固定させる。
【００４０】
なお、おもり５は、上記した実施形態１，２のように単品のものに限られず、複数の部品から構成されたものであってもよい。
【００４１】
また、上記した実施形態１，２では、ベース部２は、周端部に床面の方向に向かう傾斜面２４が設けられることで、その裏面側におもり５等を取り付ける空間が形成されたものであったが、これに限らない。例えば、図１７に示すように、ベース部２は、上記したような傾斜面２４を有しない、全体が平板であるベース板２１からなるものであってもよい。その場合、平板であるベース板２１の裏面に平板からなるおもり５が接着又は溶着され、おもり５の下面に突起物が現れないようにするとよい。
【符号の説明】
【００４２】
１      立ち上がり補助具
２      ベース部
３      支柱部
４      手摺部
５、５ａ、５ｂ、５ｃ  おもり
６      掛止部
１１    ホルダ部
２３    連結孔
３２    雌ネジ溝
５４    連結孔
７０    固定金具
７１    雄ネジ部
７２    突出部
【図１】
0005144791.tif 000002
【図２】
0005144791.tif 000003
【図３】
0005144791.tif 000004
【図４】
0005144791.tif 000005
【図５】
0005144791.tif 000006
【図６】
0005144791.tif 000007
【図７】
0005144791.tif 000008
【図８】
0005144791.tif 000009
【図９】
0005144791.tif 000010
【図１０】
0005144791.tif 000011
【図１１】
0005144791.tif 000012
【図１２】
0005144791.tif 000013
【図１３】
0005144791.tif 000014
【図１４】
0005144791.tif 000015
【図１５】
0005144791.tif 000016
【図１６】
0005144791.tif 000017
【図１７】
0005144791.tif 000018
【図１８】
0005144791.tif 000019
【図１９】
0005144791.tif 000020